(57)【要約】【課題】任意の方向からの音声を効率よく集音できるデジタルカメラを提供することを目的とする。【解決手段】マイク１５をレンズキャップ６に設け、このレンズキャップ６をカメラボディ３から自在に取り外すことができ、レンズキャップ６とカメラボディ３とをマイク１５の信号線が内蔵されたストラップ１８で連結するように構成する。マイク１５を内蔵したレンズキャップ６を自在に任意の方向に向けることができるので、記録したい音声を効率よく集音することができる。【選択図】                図２
2004153429.tif 000002
【特許請求の範囲】
【請求項１】
撮影レンズを組み込んだカメラボディと、前記撮影レンズを保護する着脱自在なレンズキャップとを備えたデジタルカメラにおいて、
前記レンズキャップにはマイクが組み込まれ、マイクからの信号線を内蔵したストラップによってレンズキャップがカメラボディと連結されていることを特徴とするデジタルカメラ。
【請求項２】
前記カメラボディに、撮影レンズから取り外したレンズキャップの取り付け部が備えられていることを特徴とする請求項１記載のデジタルカメラ。
【発明の詳細な説明】
【０００１】
【発明の属する技術分野】
本発明は、デジタルカメラに関し、更に詳しくは、音声を効率よく集音するデジタルカメラに関するものである。
【０００２】
【従来の技術】
デジタルカメラは、静止画を撮影する静止画撮影モードや動画の撮影をする動画撮影モードで撮影をする時に音声を記録する機能を備えている。音声はデジタルカメラに内蔵されたマイクから取り込まれ、記録される。
【０００３】
撮影レンズを保護するレンズキャップをカメラボディに開閉式に組み付け、レンズキャップで撮影レンズを保護した状態の時に、マイクの集音面と撮影レンズとが対面するようにレンズキャップにマイクを組み込むことで、レンズキャップが可動する範囲でマイクの集音面の指向方向を変えることができる。これにより、マイクが被写体側の音声を効率よく集音し、デジタルカメラからの雑音を記録しにくいデジタルカメラが知られている。（例えば、特許文献１または２参照）
【０００４】
【特許文献１】
特開平０９−００９１２２号公報
【特許文献２】
特開平０６−２３３１６２号公報
【０００５】
【発明が解決しようとする課題】
ところが、上記記載のデジタルカメラのマイクでは、レンズキャップの可動範囲に限りがあり、マイクの集音面を被写体の反対に向けて撮影を行なうことはできない。このため、マイクがデジタルカメラからの雑音を拾いにくくはなるが、撮影者の音声を記録しながら撮影を行なう場合、撮影者の声が小さい音で記録されることが避けられなかった。
【０００６】
そこで本発明では、任意の方向からの音声を効率よく集音できるデジタルカメラを提供することを目的とする。
【０００７】
【課題を解決するための手段】
本発明は上記目的を達成するために、マイクをレンズキャップに設け、このレンズキャップをカメラボディから自在に取り外すことができ、レンズキャップとカメラボディとをマイクの信号線が内蔵されたストラップで連結するように構成する。また、カメラボディの側面に、撮影レンズから取り外したレンズキャップを自在に着脱できる取り付け部を設ける。
【０００８】
【発明の実施の形態】
図１、図２は本発明を実施したデジタルカメラの外観斜視図である。カメラボディ３の前面には、図１に示すようにストロボ発光部４と、撮影レンズ５（図２参照）を保護する着脱自在なレンズキャップ６とが設けられている。レンズキャップ６を取り外すことにより、図２に示すように撮影レンズ５が露呈して撮影可能状態となる。この撮影可能状態のとき、カメラボディ３の上面に設けたレリーズボタン８を押圧することで撮影が行なえる。
【０００９】
カメラボディ３の側面には、レンズキャップ６に設けられたフック９と着脱自在な取り付け部１０が設けられている。また、カメラボディ３の背面には、液晶パネル１２（図３参照）と、静止画撮影や動画撮影などの撮影モードを設定するための操作部１３（図３参照）とが設けられている。
【００１０】
レンズキャップ６には、音声を集音するためのマイク１５が組み込まれている。レンズキャップ６を撮影レンズ５に装着した状態の時、撮影レンズ５と向かい合う面に、音声を集音するマイク１５の集音面１６が設けられている。マイク１５を組み込んだレンズキャップ６は、ストラップ１８を介してカメラボディ３と連結している。このストラップ１８の内部にはマイク１５の信号線１９（図３参照）が通っている。
【００１１】
図３はデジタルカメラの電気的構成を示すブロック図である。撮影レンズ５の背後には、撮像素子であるＣＣＤイメージセンサ２０が配置されている。ＣＣＤイメージセンサ２０は、ＣＣＤドライバ２１の駆動により光学的な被写体画像を電気的な撮像信号に変換して出力する。撮像信号は、アンプ２３で適当なレベルに増幅された後、Ａ／Ｄコンバータ２４よってデジタル変換して画像データを生成し、これを画像データ処理回路２６に入力する。画像データ処理回路２６は入力された画像データを基に、映像信号を生成し、液晶制御回路２９に出力する。液晶制御回路２９は、液晶パネル１２を駆動させ、前記画像データに基づいた画像を液晶パネル１２にスルー画として表示する。
【００１２】
操作部１３を操作して撮影モードを動画撮影に設定し、レリーズボタン８を押圧すると、操作情報がシステム制御部３５に送られ、動画撮影を開始する。撮影レンズ５から取り込まれた被写体光は映像信号に、マイク１５の集音面１６から取り込まれた音声は信号線１９を通ってＡ／Ｄコンバータ３７で音声データに変換されて音声データ処理回路３８で音声信号に変換される。これら映像信号や音声信号は、システム制御部３５に送られ、メモリ制御部４０によってメモリ媒体４１に記録される。
【００１３】
次に、上記実施形態の作用について説明する。本発明のデジタルカメラで動画撮影を行なうときに、被写体側の音声を記録する場合には、マイク１５の集音面１６が被写体と向かい合うようにレンズキャップ６を持つことで、被写体方向の音声を効率よく集音することができる。
【００１４】
また、動画撮影で撮影者の音声を記録する場合には、マイク１５の集音面１６が撮影者の口元の近くになるようにレンズキャップ６を持つことで、撮影者の音声を効率よく集音することができる。
【００１５】
撮影者がレンズキャップ６を手に持って撮影を行なうので、レンズキャップ６を任意の方向に傾けることができる。これによって、被写体側または撮影者側の音声だけでなく、任意の方向からの音声を効率よく集音することができる。
【００１６】
図４、図５は、フック９を取り付け部１０に取り付けた状態を示す図である。また、本発明のデジタルカメラには、カメラボディ３の側面に取り付け部１０、レンズキャップ６にフック９を設けているので、撮影者はレンズキャップ６を手に持つことなく、音声を効率よく集音しながら撮影を行なうことができる。
【００１７】
被写体側の音声を記録しながら撮影をする場合、マイク１５の集音面１６と被写体とが対面するように、図４に示すようにレンズキャップ６に設けられたフック９を取り付け部１０に取り付ける。また、撮影者の音声を記録しながら撮影を行なう場合には、マイク１５の集音面１６と撮影者とが対面するように、図５に示すようにレンズキャップ６に設けられたフック９を取り付け部１０に取りつけることで、撮影者の音声を効率よく集音することができる。
【００１８】
上記実施例では、レンズキャップ６に設けられたフック９を取り付け部１０に取り付けたが、取り付け部１０にレンズキャップ６を直接取り付けるようにしても本発明を適用することができる。
【００１９】
【発明の効果】
以上のように本発明のデジタルカメラによれば、マイクを組み込んだレンズキャップをカメラボディから取り外して、任意の方向に向けられるようにしたので、撮影時にデジタルカメラからの雑音を記録することを低減し、記録したい音声を効率よく集音することができる。また、マイクをレンズキャップの中に構成したことで、レンズキャップの紛失防止用にストラップが設けられ、ストラップの内部にマイクからの信号線を備えたシンプルな構成となっている。
【図面の簡単な説明】
【図１】本発明を実施したデジタルカメラの外観斜視図である。
【図２】本発明を実施したデジタルカメラの外観斜視図である。
【図３】デジタルカメラの電気的構成を示すブロック図である。
【図４】フックを取り付け部に取り付けた状態を示す図である。
【図５】フックを取り付け部に取り付けた状態を示す図である。
【符号の説明】
３  カメラボディ
５  撮影レンズ
６  レンズキャップ
９  フック
１０  取り付け部
１５  マイク
【図１】
2004153429.tif 000003
【図２】
2004153429.tif 000004
【図３】
2004153429.tif 000005
【図４】
2004153429.tif 000006
【図５】
2004153429.tif 000007